(57)【要約】      （修正有）【課題】１つのカップのサイズでより多種のブラジャーサイズの体型の着用者に対応することが可能で、その結果、製造者や販売者の在庫を少なくすることが可能な、サイズ融通性のあるカップ部を有する衣類の提供。【解決手段】伸縮性カップ表面部材１は伸縮性素材からなり下縁部１１がワイヤー部６と縫着されており、伸縮性部材７は下縁部がワイヤー部６と縫着されており、右土台部分４ａ先端は左ワイヤー部に縫着され、左土台部分４ｂ先端は右ワイヤー部に縫着されかつ両先端の上端は互いに縫着されている。【選択図】図２
2014062335.tif 000002
【特許請求の範囲】
【請求項１】
カップ体と前記カップ体の下縁部に縫着された略Ｕ字状の伸縮性部材と前記カップ体および前記伸縮性部材を外面から覆う伸縮性カップ表面部材とからなる左右のカップ部と、
前記カップ部の下縁部に装着されたワイヤー部と、
前記ワイヤー部下縁に沿い胸中央部に向かって先端が延出する左右の土台部分と、
前記伸縮性カップ表面部材の上端部に連接された左右の肩紐部分と、
を有するワイヤー入りのサイズ融通性のあるカップ部を有する衣類であって、
前記伸縮性カップ表面部材は伸縮性素材からなり下縁部がワイヤー部と縫着されており、
前記伸縮性部材は下縁部がワイヤー部と縫着されており、
前記右土台部分先端は左ワイヤー部に縫着され、前記左土台部分先端は右ワイヤー部に縫着されかつ前記両先端の上端は互いに縫着されていることを特徴とする衣類。
【請求項２】
前記土台部分がストレッチ素材からなることを特徴とする請求項１に記載のサイズ融通性のあるカップ部を有する衣類。
【請求項３】
前記カップ体の脇側側縁部が前記伸縮性カップ表面部材と縫着されていることを特徴とする請求項１又は２に記載のサイズ融通性のあるカップ部を有する衣類。
【請求項４】
前記サイズ融通性のあるカップ部を有する衣類が、ブラジャー、ロングブラ、スリーインワン、ビスチェ、ボディスーツ、ブラスリップ、ブラキャミソール、カップ付インナー、またはボディシェイパーであることを特徴とする請求項１乃至３のいずれかに記載のサイズ融通性のあるカップ部を有する衣類。
【発明の詳細な説明】
【技術分野】
【０００１】
本発明は、ワイヤーの入っているカップ部を有する衣類において、着用者のそれぞれ異なる肩幅、胸幅、胸の厚み、乳房の大きさに対応してフィットする、通気性が良く、上着への影響が少ない、１つのカップのサイズでより多種のブラジャーサイズの体型の着用者に対応することが可能で、その結果、製造者や販売者の在庫を少なくすることが可能な、サイズ融通性のあるカップ部を有する衣類に関する。
【背景技術】
【０００２】
従来、女性の美しさを表すため、また、乳房の下垂を防止するために、女性にとってカップ部を有する衣類は不可欠である。市場の既成の下着製品においては、通常、アンダーバストとトップとの差であるカップサイズ（ＡＡ、Ａ、Ｂ、Ｃ、Ｄ、Ｅ、Ｆ、Ｇ）とアンダーバストサイズ（６５ｃｍから５ｃｍ刻み）とを組み合わせたサイズ規格の、様々なサイズのカップを有する衣類（例えば、ブラジャー）が提供されている。
【０００３】
上記のように細かくサイズ分けがされていても、乳房に完全にフィットした、いわゆる、「ジャストサイズ」の衣類を着用者が選ぶことは困難である。また、上記のように細かくサイズ分けがされていると、着用者は、月経によるバストサイズの変化や、体調の変化や体重の増減に伴うバストの増減に、それまでのカップサイズでは対応できなくなったり、違和感を感じたりすることがあり、その結果、新たな衣類を購入することが必要となる。加えて、製造者や販売者は、多数のサイズの必要性に対応して、サイズ、色、柄等多品種の在庫を保有しておくことが必要となる弊害があった。
【０００４】
幾つかのカップサイズをカバーすることができるカップ部を有する衣類が提案されている。
例えば、特許文献１には、カップ体を伸縮自在とし、多数の品揃えを必要としないで着用者の個人差にもとづく着用心地を快適にしたブラジャーを提供することを目的とした、帯体の周縁部とカップ体の周縁部との間に、胸の中心部方向の一端を幅狭に形成するとともに脇腹方向に至る他端を幅広になるように形成した伸縮自在調節部材を介装させて、該伸縮自在調節部材を被覆するように形成された装飾押圧部材の下端縁を帯体の上側端縁に連設し、更に該装飾押圧部材の上端部に肩紐を連接したことを特徴とするブラジャーが開示されている。
【０００５】
特許文献２には、バストの補整効果を有しながら、幅広いカップサイズのバストに対応可能で、バストの動きにも追随するとともに、部材の種類や加工工程を多く必要とせず、かつ外観性にも優れたカップ部を有する衣類を提供することを目的とした、左右のカップ部と該カップ部を保持する土台部を有し、カップ部は伸縮性素材からなる表カップ部と、伸縮性の少ない素材からなるカップ裏打部から構成され、表カップ部及びカップ裏打部は、それぞれの前側上端縁部から脇側上端縁部に亘る上側周縁部で互いに接合されるとともに、表カップ部はその下側周縁部全てがカップ部下側周縁部に接合され、カップ裏打部の下側周縁部の内、上カップ相当部の前側端縁部と脇側端縁部のみがカップ部下側周縁部に接合されているカップ部を有する衣類が開示されている。
【０００６】
しかし、特許文献１に記載のブラジャーは、伸縮自在調節部材の伸縮に際して目隠し的に装飾的に被覆し、かつ乳房を寄せて上げることを目的とする装飾押圧部材を有しており、その部分が厚くなり通気性に欠け、また、上着（以下、「アウター」ともいう）に響くという問題がある。特許文献２に記載のカップ部を有する衣類は、カップ裏打部は、その下側周縁部の内、上カップ相当部の脇側端縁部と前側端縁部のみがカップ部下側周縁部に接合されており、下カップ相当部の下側周縁部はカップ部下側周縁部に接合されず、遊離した状態となっているため、カップを乳房に上から被せるような構造となっており、その下側周縁部全てがカップ部下側周縁部に接合されている表カップ部による乳房の引き上げ効果を低減したり、カップ裏打部の遊離している部分が表カップ部の引き揚げる力によって肌に密着した時、違和感を感じたりし得るという問題がある。
【０００７】
特に、ワイヤーの入っているカップ部を有する衣類においては、ワイヤーによってカップ部の身幅（横幅）が固定されるので、１つのカップのサイズで種々のブラジャーサイズの体型の着用者に対応することは困難であった。
【先行技術文献】
【特許文献】
【０００８】
【特許文献１】特許第２５９８７５８号公報
【特許文献２】実用新案登録第３１２２８３２号公報
【発明の概要】
【発明が解決しようとする課題】
【０００９】
本発明の目的は、上記の問題を解決すべく、ワイヤーの入っているカップ部を有する衣類において、着用者のそれぞれ異なる肩幅、胸幅、胸の厚み、乳房の大きさに対応してフィットする、通気性が良く、アウターへの影響が少ない、１つのカップのサイズでより多種のブラジャーサイズの体型の着用者に対応することが可能で、その結果、製造者や販売者の在庫を少なくすることが可能な、サイズ融通性のあるカップ部を有する衣類を提供することである。
【課題を解決するための手段】
【００１０】
本発明の請求項１に係る発明は、カップ体と前記カップ体の下縁部に縫着された略Ｕ字状の伸縮性部材と前記カップ体および前記伸縮性部材を外面から覆う伸縮性カップ表面部材とからなる左右のカップ部と、前記カップ部の下縁部に装着されたワイヤー部と、前記ワイヤー部下縁に沿い胸中央部に向かって先端が延出する左右の土台部分と、前記伸縮性カップ表面部材の上端部に連接された左右の肩紐部分と、を有するワイヤー入りのサイズ融通性のあるカップ部を有する衣類であって、前記伸縮性カップ表面部材は伸縮性素材からなり下縁部がワイヤー部と縫着されており、前記伸縮性部材は下縁部がワイヤー部と縫着されており、前記右土台部分先端は左ワイヤー部に縫着され、前記左土台部分先端は右ワイヤー部に縫着されかつ前記両先端の上端は互いに縫着されていることを特徴とする衣類に関する。
なお、請求項１のサイズ融通性のあるカップ部を有する衣類において、「外面」とは肌に接する側と反対側を意味する概念である。
【００１１】
本発明の請求項２に係る発明は、前記土台部分がストレッチ素材からなることを特徴とする請求項１に記載のサイズ融通性のあるカップ部を有する衣類に関する。
【００１２】
本発明の請求項３に係る発明は、前記カップ体の脇側側縁部が前記伸縮性カップ表面部材と縫着されていることを特徴とする請求項１又は２に記載のサイズ融通性のあるカップ部を有する衣類に関する。
【００１３】
本発明の請求項４に係る発明は、前記サイズ融通性のあるカップ部を有する衣類が、ブラジャー、ロングブラ、スリーインワン、ビスチェ、ボディスーツ、ブラスリップ、ブラキャミソール、カップ付インナー、またはボディシェイパーであることを特徴とする請求項１乃至３のいずれかに記載のサイズ融通性のあるカップ部を有する衣類に関する。
【発明の効果】
【００１４】
本発明の請求項１に係る衣類によれば、カップ体とワイヤー部との間に、伸縮性部材を設けたことにより、乳房のボリュームに合わせて伸縮性部材が伸縮し、カップの高さの調節が可能となる。また、上端部が肩紐部分に縫合され連接された、伸縮性素材からなる伸縮性カップ表面部材が、ワイヤー部から乳房を伸縮しながら持ち上げ、カップ体と伸縮性部材をより乳房にフィットするように調整することが可能となる。これらの調整によって、１つのカップサイズで、より幅広いサイズの乳房に対応することが可能となる。
伸縮性カップ表面部材は、伸縮性部材およびカップ体を外面から覆い、上へ持ち上げるため、伸縮性部材が必要以上に伸びることを防止することが可能となる。また、伸縮性カップ表面部材は、伸縮性部材の伸縮した部分や伸縮性部材とカップ体の連接部を隠すので、本発明に係る衣類の外観は通常のブラジャーとほとんど変わらず、通気性も良い。さらに、伸縮性カップ表面部材は、カップ体の上縁部と縫着されず遊離しており、かつカップ体を全体的に上に持ち上げる構成となっているので、カップ体によって上に持ち上げた乳房がカップ体の上縁部から溢れてできることがある胸の段差をなだらかにして無くすことが可能となる。
左右の土台部分は、胸中央部でクロスしており、その下縁部は、互いに遊離しているので、上記のようにカップ部が調節される際に、土台部分から乳房に合わせて調節することが可能となり、より融通性を与えることが可能となる。
以上のような調節が可能となる結果、１つのカップサイズで、より幅広いサイズの乳房に対応することが可能となるので、製造者や販売者の在庫を減らすことが可能となる。
【００１５】
本発明の請求項２に係る衣類によれば、土台部分がストレッチ素材からなるので、カップ部が調節される際に、カップ部を土台部分から乳房に合わせて調節することがより容易となり、更なる融通性を与えることが可能となる。
【００１６】
本発明の請求項３に係る衣類によれば、カップ体と伸縮性カップ表面部材が脇側側縁部で縫着されているので、カップ体をより安定させることが可能となる。
【００１７】
本発明の請求項４に係る衣類によれば、着用者のニーズに応じた、様々なサイズ融通性のあるカップ部を有する衣類を提供することが可能となる。
【図面の簡単な説明】
【００１８】
【図１】図１は、本発明の実施の形態１に係るサイズ融通性のあるカップ部を有するブラジャーの斜視図である。
【図２】図２は、図１のサイズ融通性のあるカップ部を有するブラジャーの正面図である。破線部分は、外面から見た時は見えない又は見るのが困難な、内側にある部分を表わしている。
【図３】図３は、図１のサイズ融通性のあるカップ部を有するブラジャーの右のカップ部の部分を拡大した裏面図である。
【図４】図４は、図３のサイズ融通性のあるカップ部を有するブラジャーのＡ−Ａ線断面図である。
【図５】図５は、本発明の実施の形態２に係るサイズ融通性のあるカップ部を有するブラジャーの正面図である。破線部分は、外面から見た時は見えない又は見るのが困難な、内側にある部分を表わしている。
【図６】図６は、図５のサイズ融通性のあるカップ部を有するブラジャーの右のカップ部の部分を拡大した裏面図である。
【発明を実施するための形態】
【００１９】
以下、本発明に係るサイズ融通性のあるカップ部を有する衣類の好適な実施形態について、ブラジャーを例に、具体的な実施の形態に基づいて図面を参照しながら説明するが、本発明のサイズ融通性のあるカップ部を有する衣類は、カップ部を有する衣類であれば特に限定されず、ブラジャーの他、ロングブラ、スリーインワン、ビスチェ、ボディスーツ、ブラスリップ、ブラキャミソール、カップ付インナー、またはボディシェイパーであってもよい。
【００２０】
本明細書において、衣類やカップ部に関して使用される「内面」は、カップ部の肌に触れる側の面を意味し、「外面」は、カップ部の肌に触れない側を意味する。
カップ部や当て布等に関して使用される「右」または「左」は、本発明のカップ部を有する衣類を内面側から見て、向かって右を「右」、または向かって左を「左」とする。
本明細書において、「バスト」と「乳房」は互換的に使用され得る。
【００２１】
（実施の形態１）
図１は、本発明の１つの実施形態に係るサイズ融通性のあるカップ部を有するブラジャー（１０）の斜視図であり、図２は、図１のサイズ融通性のあるカップ部を有するブラジャー（１０）を外面側から見た図であり、図３は、図１のサイズ融通性のあるカップ部を有するブラジャー（１０）の右のカップ部の部分を内面側から見て拡大した図であり、図４は、図３のサイズ融通性のあるカップ部を有するブラジャー（１０）のＡ−Ａ線断面図である。
図１に示す実施形態においては、連結部（５）や調節部（９）が備えられているが、これらは好適な実施の形態に過ぎず、本発明のサイズ融通性のあるカップ部を有する衣類は、連結部（５）や調節部（９）のいずれか又は両方が備えられていない形態であってもよい。
【００２２】
本発明の１つの実施形態に係るサイズ融通性のあるカップ部を有するブラジャー（１０）は、左右の伸縮性カップ表面部材（１）、左右の肩紐部分（２）、左右の脇布（３）、土台部分（４）、左右の連結部（５）、左右のワイヤー部（６）、左右の伸縮性部材（７）、左右のカップ体（８）および左右の調節部（９）からなる。図２において、外面から見た時見えないまたは見るのが困難な、内側にあるカップ体（８）や伸縮性部材（７）、および左の土台部分（４ｂ）の一部を破線で示している。
【００２３】
肩紐部分（２）、脇布（３）、土台部分（４）、連結部（５）およびワイヤーの入っているワイヤー部（６）の形状および素材は、特に限定されず、一般的なブラジャーの一般的な形状および素材である。
【００２４】
伸縮性カップ表面部材（１）は、伸縮性素材からなり、伸縮性素材としては、限定されないが、例えば、ストレッチレースやストレッチチュール、ベア天竺、ツーウェイトリコット、パワーネットが挙げられる。伸縮性カップ表面部材（１）は、その下縁部（１１）の全体が、ワイヤーの挿入されている部位（「ワイヤー部（６）」という）で土台部分（４）および脇布（３）と縫合されており、その上端部（１２）は、肩紐部分（２）と縫合され連接されている。
【００２５】
カップ体（８）は、通常のカップ部に用いられる素材からなり、限定されないが、例えば、不織布、Ｗラッセル、ウレタンなどからなる。カップ体（８）は、伸縮性カップ表面部材（１）の内面にあって、その下縁部（８２）は、伸縮性部材（７）の上縁部（７２）と縫合されており、その上縁部（８３）は、伸縮性カップ表面部材（１）と縫合されず遊離している。好ましくは、カップ体（８）は、その脇側側縁部（８１）が伸縮性カップ表面部材（１）と縫合されている。
図１に示す実施形態において、カップ体は、３分の２カップであるが、少なくとも乳房の下方から半分以上を覆うサイズのカップであればよく、フルカップであってもよい。
【００２６】
伸縮性部材（７）は、タテヨコに伸びる素材からなり、その素材としては、限定されないが、ストレッチチュール、ベア天竺、ツーウェイトリコット、パワーネットなどが挙げられる。図３に示すように、伸縮性部材（７）は、カップ体（８）の形状に合致した略Ｕ字の形状で、その下縁部（７１）は、土台部分（４）および脇布（３）とワイヤー部（６）で縫合され連接されており、その上縁部（７２）は、カップ体（８）の下縁部（８２）と縫合され連接されている。伸縮性部材（７）の幅は、好ましくは、０．４〜１．０ｃｍであり、より好ましくは、０．５ｃｍ〜０．８ｃｍである。伸縮性部材（７）の幅は、均一であってもよいが、好ましくは、着用した時最も下にくる位置の幅は、上端部分の幅より広くてもよい。
【００２７】
図４に示すように、本発明に係るサイズ融通性のあるカップ部を有するブラジャー（１０）は、肌側から、カップ体（８）と伸縮性部材（７）、ワイヤー部（６）、台布部分（４）があり、その外側を、伸縮性カップ表面部材（１）が覆う構造となっている。
【００２８】
肩紐部分（２）には、好ましくは、肩紐の長さとカップ部の高さを調節するための調節部（９）が備えられている。この調節部は、通常のブラジャーの肩紐の長さを調節することのできる調節部材であれば、特に限定されない。
【００２９】
カップ体（８）とワイヤー部（６）との間に、伸縮性部材（７）を設けたことにより、乳房のボリュームに合わせて伸縮性部材（７）が伸縮することが可能となる。また、上端部（１２）が肩紐部分（２）に縫合され連接された、伸縮性素材からなる伸縮性カップ表面部材（１）が、ワイヤー部（６）から乳房を伸縮しながら持ち上げ、カップ体（８）と伸縮性部材（７）をより乳房にフィットするように調整することが可能となる。さらに、肩紐部分（２）に調節部（９）が備えられている場合、調節部（９）を調節することによって、伸縮性カップ表面部材（１）と、その内面にあるカップ体（８）および伸縮性部材（７）をより乳房にフィットするように調整することが可能となる。これらの調整は、左右の乳房各々において行うことができる。以上のような調整によって、１つのカップサイズで、より幅広いサイズの乳房に対応することが可能となる。
【００３０】
伸縮性カップ表面部材（１）は、伸縮性部材（７）とカップ体（８）を外面から覆い上へ持ち上げるため、伸縮性部材（７）が必要以上に伸びることを防止することが可能となる。伸縮性カップ表面部材（１）は、伸縮性部材（７）の伸縮した部分や伸縮性部材（７）とカップ体（８）の連接された部分を外面から覆うので、着用時の外観は、通常のブラジャーとほとんど変わらないものとなる。その結果、薄手のアウターを着用する場合においても、通常のブラジャーと同じく、ブラジャーの連接された部分などがアウターを通じて分かることがなく、アウターに響き難いブラジャーを提供することが可能となる。また、伸縮性部材（７）および伸縮性カップ表面部材（１）は、伸縮性素材からなるので、通気性が良い。さらに、伸縮性カップ表面部材（１）は、カップ体（８）の上縁部（８３）と縫着されず遊離しており、かつカップ体（８）を全体的に上に持ち上げる構成となっているので、カップ体（８）によって上に持ち上げた乳房がカップ体（８）の上縁部（８３）から溢れてできることがある胸の段差をなだらかにして無くすことが可能となる。
【００３１】
上記の調節の結果、１つのカップサイズで、より幅広いサイズの乳房に対応することが可能となるので、製造者や販売者の在庫を減らすことが可能となり、製造者や販売者は、経費削減を実現することが可能となる。
【００３２】
大きめのバストサイズの人が本発明に係るブラジャー（１０）を着用すると、伸縮性部材（７）が伸張し、着用者のバストの大きさに合わせてカップ体（８）も上方に上がり、カップの高さ（ボリューム）が変化する。本願発明に係るブラジャー（１０）は、カップ体（８）の下縁部（８２）に伸縮性部材（７）をつけ、それらの表面を伸縮性カップ表面部材（１）が覆う構造となっているので、伸縮性部材（７）の伸びに合わせて伸縮性カップ表面部材（１）も追従してスムーズに伸張することが可能となる。
【００３３】
この具体的な実施形態は、不織布やＷラッセル、ウレタンを裏打ちしているブラジャーであるが、不織布やＷラッセル、ウレタンを裏打ちしていないタイプのブラジャー、いわゆる１枚もののタイプのブラジャーの場合は、裏打ちに綿天竺や綿トリコットなどを付け、その裏打ちに、本発明に係る伸縮性部材（７）を追加することによって、上述の効果を得ることが可能となる。
【００３４】
土台部分（４）は、通常のブラジャーのように１枚の伸縮しない素材又は伸縮性素材から形成されていてもよいが、好ましくはストレッチ素材からなる。図１〜３に示すように、土台部分（４）は、その先端が右のカップ部から左のカップ部のワイヤー部（６）の胸中央側の下縁部に延出する右の土台部分（４ａ）と、その先端が左のカップ部から右のカップ部のワイヤー部（６）の胸中央側の下縁部に延出する左の土台部分（４ｂ）からなり、右の土台部分（４ａ）と左の土台部分（４ｂ）は、胸中央部でクロス（交差）している（図２参照）。右の土台部分（４ａ）と左の土台部分（４ｂ）の上端（４ａ１、４ｂ１）は、胸中央部の上辺で互いに縫合されており、右の土台部分（４ａ）と左の土台部分（４ｂ）の下端（４ａ２、４ｂ２）は互いに遊離している。
図２においては、右の土台部分（４ａ）が左の土台部分（４ｂ）より外面に配置されているが、左の土台部分（４ｂ）が右の土台部分（４ａ）より外面に配置されてもよい。
【００３５】
左右の土台部分（４ａ、４ｂ）は、胸中央部でクロスして、その下端（４ａ２、４ｂ２）が互いに遊離しているので、調節部（９）によってカップ部を調節する際に、身幅（Ｌ）を左右の土台部分（４ａ、４ｂ）から乳房に合わせて調節することが可能となり（図２参照）、土台部分（４）が１枚の素材、または伸縮しない素材からなる場合より融通性を与えることが可能となる。
【００３６】
土台部分（４）がストレッチ素材からなる場合、カップ部が調節される際に、カップ部を土台部分（４）から乳房に合わせて調節することがより容易となり、更なる融通性を与えることが可能となる。
【００３７】
連結部（５）を備えている場合は、連結部（５）での連結する位置を調節することによって、胸中央部のストレッチ素材の土台部分（４）の幅をより胸幅に合わせて変化させることが可能となり、これによって、カップの身幅（Ｌ）の調節をより細かくすることが可能となり、更に融通性を与えることが可能となる。
【００３８】
（実施の形態２）
図５は、本発明の別の実施形態に係るサイズ融通性のあるカップ部を有するブラジャーの正面図であり、図６は、図５のサイズ融通性のあるカップ部を有するブラジャーの右のカップ部の部分を内面側から見て拡大した図である。図５において、外面から見た時見えないまたは見るのが困難な、内側にあるカップ体（８）および伸縮性部材（７）を破線で示している。
この実施形態においては、カップ体（８）は、伸縮性カップ表面部材（１）と略同じ大きさであり、その脇側側縁部（８１）と上縁部（８３）は、伸縮性カップ表面部材（１）と縫合されている。すなわち、カップ部は、全体が、伸縮性カップ表面部材（１）と、カップ体（８）および伸縮性部材（７）の二重構造となっている。以下に特記しない部分は、実施の形態１と同様である。
【００３９】
カップ体（８）は伸縮性カップ表面部材（１）と略同じ大きさであるため、カップの顔を小さく見せることができる。また、胸の開いた服などを着るときにブラジャーがはみ出て見えることがなく、幅広いアウターの下に着用することができる。
【００４０】
この実施形態において、土台部分（４）は、実施の形態１と同様に、通常のブラジャーのように１枚の伸縮しない素材又は伸縮性素材から形成されていてもよいが、好ましくはストレッチ素材からなる。土台部分（４）は、右の土台部分（４ａ）と左の土台部分（４ｂ）からなり、右の土台部分（４ａ）と左の土台部分（４ｂ）の上端（４ａ１、４ｂ１）は、胸中央部の上辺で互いに縫合されており、右の土台部分（４ａ）と左の土台部分（４ｂ）の下端（４ａ２、４ｂ２）は互いに遊離している。
【００４１】
左右の土台部分（４ａ、４ｂ）は、胸中央部でクロスして、その下端（４ａ２、４ｂ２）が互いに遊離しているので、調節部（９）によってカップ部を調節する際に、身幅（Ｌ）を左右の土台部分（４ａ、４ｂ）から乳房に合わせて調節することが可能となり（図５参照）、土台部分（４）が１枚の素材、または伸縮しない素材からなる場合より融通性を与えることが可能となる。
【００４２】
以下に、本発明に係るサイズ融通性のあるカップ部を有する衣類について、具体的な実施例を用いて説明するが、本発明はこの具体的な実施例に限定されるものではないことが当業者に理解される。
【実施例】
【００４３】
＜実施例１＞
以下の表１に示すようなサイズ許容範囲を有するワイヤー入りブラジャーを作製した。
【００４４】
【表１】
2014062335.tif 000003
【００４５】
例えば、本発明に係るＭサイズのサイズ融通性を有するブラジャーにおいては、Ｂ７５のワイヤーを使用して、カップを低くし、カップ部のグレーディング幅を考慮した形状で、タテヨコに伸びる素材を上下カップ周りに用いてカップの高さの変化に対応できるようにした。
【００４６】
その結果、従来のカップサイズがＢ７０、Ｂ７５、Ｃ７０およびＤ７０であった女性が、Ｍサイズの本発明に係るブラジャーを使用することが可能であった。逆に言うと、着用者は、月経によるバストサイズの変化や、体調の変化や体重の増減に伴うバストの増減があっても、これまでのサイズの本発明に係るブラジャーで快適なフィット感を得ることが可能となる。
【００４７】
従来のカップサイズＢ７０、Ｂ７５、Ｃ７０およびＤ７０を、本発明に係るブラジャーＭサイズ１つで対応できるので、例えば、従来は、Ｂ７０、Ｂ７５、Ｃ７０およびＤ７０を、それぞれ、１０００個、合計４０００個の在庫が必要であった場合でも、本発明に係るサイズ融通性のあるカップ部を有するブラジャーのＭサイズを１０００個在庫しておけばよいこととなり、製造者や販売者は、在庫を減らし、コストの削減を図ることが可能となる。
【産業上の利用可能性】
【００４８】
本発明に係るサイズ融通性のあるカップ部を有する衣類によれば、カップ体とワイヤー部との間に、伸縮性部材を設けたことにより、乳房のボリュームに合わせて伸縮性部材が伸縮し、カップの高さの調節が可能となる。また、上端部が肩紐部分に縫合され連接された、伸縮性素材からなる伸縮性カップ表面部材が、ワイヤー部から乳房を伸縮しながら持ち上げ、カップ体と伸縮性部材をより乳房にフィットするように調整することが可能となる。これらの調整によって、１つのカップサイズで、より幅広いサイズの乳房に対応することが可能となる。
伸縮性カップ表面部材は、伸縮性部材およびカップ体を外面から覆い、上へ持ち上げるため、伸縮性部材が必要以上に伸びることを防止することが可能となる。さらに、伸縮性カップ表面部材は、伸縮性部材の伸縮した部分や伸縮性部材とカップ体の連接部を隠すので、本発明に係る衣類の外観は通常のブラジャーとほとんど変わらず、通気性も良い。さらに、伸縮性カップ表面部材は、カップ体の上縁部と縫着されず遊離しており、かつカップ体を全体的に上に持ち上げる構成となっているので、カップ体によって上に持ち上げた乳房がカップ体の上縁部から溢れてできることがある胸の段差をなだらかにして無くすことが可能となる。
左右の土台部分は、胸中央部でクロスしており、その下縁部は、互いに遊離しているので、上記のようにカップ部が調節される際に、土台部分から乳房に合わせて調節することが可能となり、より融通性を与えることが可能となる。
以上のような調節が可能となる結果、１つのカップサイズで、より幅広いサイズの乳房に対応することが可能となるので、製造者や販売者の在庫を減らすことが可能となる。
【００４９】
本発明に係るサイズ融通性のあるカップ部を有する衣類によれば、土台部分がストレッチ素材からなるので、カップ部が調節される際に、カップ部を土台部分から乳房に合わせて調節することがより容易となり、更なる融通性を与えることが可能となる。
【００５０】
本発明に係るサイズ融通性のあるカップ部を有する衣類によれば、カップ体と伸縮性カップ表面部材が脇側側縁部で縫着されているので、カップ体をより安定させることが可能となる。
【００５１】
本発明に係るサイズ融通性のあるカップ部を有する衣類によれば、着用者のニーズに応じた、様々なサイズ融通性のあるカップ部を有する衣類を提供することが可能となる。
【符号の説明】
【００５２】
１・・・伸縮性カップ表面部材
１１・・・下縁部
１２・・・上端部
２・・・肩紐部分
３・・・脇布
４・・・土台部分
４ａ・・・右の土台部分
４ｂ・・・左の土台部分
４ａ１、４ｂ１・・・上端
４ａ２、４ｂ２・・・下端
５・・・連結部
６・・・ワイヤー部
７・・・伸縮性部材
７１・・・下縁部
７２・・・上縁部
８・・・カップ体
８１・・・脇側側縁部
８２・・・下縁部
８３・・・上縁部
９・・・調節部
１０・・・サイズ融通性のあるカップ部を有する衣類
【図１】
2014062335.tif 000004
【図２】
2014062335.tif 000005
【図３】
2014062335.tif 000006
【図４】
2014062335.tif 000007
【図５】
2014062335.tif 000008
【図６】
2014062335.tif 000009
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
カップ体と前記カップ体の下縁部に縫着された略U字状の伸縮性部材と前記カップ体および前記伸縮性部材を外面から覆う伸縮性カップ体表面部材とからなる左右のカップ部と、
前記カップ部の下縁部に装着されたワイヤー部と、
前記ワイヤー部下縁に沿い胸中央部に向かって先端が延出する左右の土台部分と、
前記伸縮性カップ体表面部材の上端部に連接された左右の肩紐部分と、
を有するワイヤー入りのサイズ融通性のあるカップ部を有する衣類であって、
前記伸縮性カップ体表面部材は伸縮性素材からなり下縁部がワイヤー部と縫着されており、
前記伸縮性部材は下縁部がワイヤー部と縫着されており、
前記右土台部分先端は左ワイヤー部に縫着され、前記左土台部分先端は右ワイヤー部に縫着されかつ前記右土台部分先端の上端と前記左土台部分先端の上端を結ぶ辺のみが互いに縫着されており、前記右土台部分先端の上端と前記左土台部分先端の上端を結ぶ辺は左右のカップ部間にあり、
前記左右の土台部分はストレッチ素材からなることを特徴とするサイズ融通性のあるカップ部を有する衣類。
【請求項２】
前記カップ体の脇側側縁部が前記伸縮性カップ体表面部材と縫着されていることを特徴とする請求項１に記載のサイズ融通性のあるカップ部を有する衣類。
【請求項３】
前記サイズ融通性のあるカップ部を有する衣類が、ブラジャー、ロングブラ、スリーインワン、ビスチェ、ボディスーツ、ブラスリップ、ブラキャミソール、カップ付インナー、またはボディシェイパーであることを特徴とする請求項１又は２に記載のサイズ融通性のあるカップ部を有する衣類。
【手続補正２】
【補正対象書類名】明細書
【補正対象項目名】００１０
【補正方法】変更
【補正の内容】
【００１０】
本発明の請求項１に係る発明は、カップ体と前記カップ体の下縁部に縫着された略U字状の伸縮性部材と前記カップ体および前記伸縮性部材を外面から覆う伸縮性カップ体表面部材とからなる左右のカップ部と、前記カップ部の下縁部に装着されたワイヤー部と、前記ワイヤー部下縁に沿い胸中央部に向かって先端が延出する左右の土台部分と、前記伸縮性カップ体表面部材の上端部に連接された左右の肩紐部分と、を有するワイヤー入りのサイズ融通性のあるカップ部を有する衣類であって、前記伸縮性カップ体表面部材は伸縮性素材からなり下縁部がワイヤー部と縫着されており、前記伸縮性部材は下縁部がワイヤー部と縫着されており、前記右土台部分先端は左ワイヤー部に縫着され、前記左土台部分先端は右ワイヤー部に縫着されかつ前記右土台部分先端の上端と前記左土台部分先端の上端を結ぶ辺のみが互いに縫着されており、前記右土台部分先端の上端と前記左土台部分先端の上端を結ぶ辺は左右のカップ部間にあり、前記左右の土台部分はストレッチ素材からなることを特徴とするサイズ融通性のあるカップ部を有する衣類に関する。
なお、請求項１のサイズ融通性のあるカップ部を有する衣類において、「外面」とは肌に接する側と反対側を意味する概念である。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
本発明の請求項２に係る発明は、前記カップ体の脇側側縁部が前記伸縮性カップ体表面部材と縫着されていることを特徴とする請求項１に記載のサイズ融通性のあるカップ部を有する衣類に関する。
【手続補正５】
【補正対象書類名】明細書
【補正対象項目名】００１３
【補正方法】変更
【補正の内容】
【００１３】
本発明の請求項３に係る発明は、前記サイズ融通性のあるカップ部を有する衣類が、ブラジャー、ロングブラ、スリーインワン、ビスチェ、ボディスーツ、ブラスリップ、ブラキャミソール、カップ付インナー、またはボディシェイパーであることを特徴とする請求項１又は２に記載のサイズ融通性のあるカップ部を有する衣類に関する。
【手続補正６】
【補正対象書類名】明細書
【補正対象項目名】００１４
【補正方法】変更
【補正の内容】
【００１４】
本発明の請求項１に係る衣類によれば、カップ体とワイヤー部との間に、伸縮性部材を設けたことにより、乳房のボリュームに合わせて伸縮性部材が伸縮し、カップ体の高さの調節が可能となる。また、上端部が肩紐部分に縫合されて連接された、伸縮性素材からなる伸縮性カップ体表面部材が、ワイヤー部から乳房を伸縮しながら持ち上げ、カップ体と伸縮性部材をより乳房にフィットするように調整することが可能となる。これらの調整によって、１つのカップサイズで、より幅広いサイズの乳房に対応することが可能となる。
伸縮性カップ体表面部材は、伸縮性部材およびカップ体を外面から覆い、上へ持ち上げるため、伸縮性部材が必要以上に伸びることを防止することが可能となる。また、伸縮性カップ体表面部材は、伸縮性部材の伸縮した部分や伸縮性部材とカップ体の連接部も隠すので、本発明に係る衣類の外観は通常のブラジャーとほとんど変わらず、通気性も良い。さらに、伸縮性カップ体表面部材は、カップ体の上縁部と縫着されず遊離しており、かつカップ体を全体的に上に持ち上げる構成となっているので、カップ体によって上に持ち上げた乳房がカップ体の上縁部から溢れてできることがある胸の段差をなだらかにして無くすことが可能となる。
左右の土台部分は、胸中央部でクロスしており、右土台部分先端の上端と左土台部分先端の上端を結ぶ辺のみが互いに縫着されており、その下縁部は互いに遊離しているので、上記のようにカップ部が調節される際に、土台部分から乳房に合わせて調節することが可能となり、より融通性を与えることが可能となる。
又、土台部分がストレッチ素材からなるので、カップ部が調整される際に、カップ部を土台部分から乳房に合わせて調節することが容易となり、更なる融通性を与えることが可能となる。
以上のような調節が可能となる結果、１つのカップサイズで、より幅広いサイズの乳房に対応することが可能となるので、カップ体をより安定させることが可能となる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
本発明の請求項２に係る衣類によれば、カップ体と伸縮性カップ体表面部材が脇側側縁部で縫着されているので、カップ体をより安定させることが可能となる。
【手続補正９】
【補正対象書類名】明細書
【補正対象項目名】００１７
【補正方法】変更
【補正の内容】
【００１７】
本発明の請求項３に係る衣類によれば、着用者のニーズに応じた、様々なサイズ融通性のあるカップ部を有する衣類を提供することが可能となる。
【手続補正１０】
【補正対象書類名】明細書
【補正対象項目名】００２２
【補正方法】変更
【補正の内容】
【００２２】
本発明の１つの実施形態に係るサイズ融通性のあるカップ部を有するブラジャー（１０）は、左右の伸縮性カップ体表面部材（１）、左右の肩紐部分（２）、左右の脇布（３）、土台部分（４）、左右の連結部（５）、左右のワイヤー部（６）、左右の伸縮性部材（７）、左右のカップ体（８）および左右の調節部（９）からなる。図２において、外面から見た時見えないまたは見るのが困難な、内側にあるカップ体（８）や伸縮性部材（７）、および左の土台部分（４ｂ）の一部を破線で示している。
【手続補正１１】
【補正対象書類名】明細書
【補正対象項目名】００２４
【補正方法】変更
【補正の内容】
【００２４】
伸縮性カップ体表面部材（１）は、伸縮性素材からなり、伸縮性素材としては、限定されないが、例えば、ストレッチレースやストレッチチュール、ベア天竺、ツーウェイトリコット、パワーネットが挙げられる。伸縮性カップ体表面部材（１）は、その下縁部（１１）の全体が、ワイヤーの挿入されている部位（「ワイヤー部（６）」という）で土台部分（４）および脇布（３）と縫合されており、その上端部（１２）は、肩紐部分（２）と縫合され連接されている。
【手続補正１２】
【補正対象書類名】明細書
【補正対象項目名】００２５
【補正方法】変更
【補正の内容】
【００２５】
カップ体（８）は、通常のカップ部に用いられる素材からなり、限定されないが、例えば、不織布、Ｗラッセル、ウレタンなどからなる。カップ体（８）は、伸縮性カップ体表面部材（１）の内面にあって、その下縁部（８２）は、伸縮性部材（７）の上縁部（７２）と縫合されており、その上縁部（８３）は、伸縮性カップ体表面部材（１）と縫合されず遊離している。好ましくは、カップ体（８）は、その脇側側縁部（８１）が伸縮性カップ体表面部材（１）と縫合されている。
図１に示す実施形態において、カップ体は、３分の２カップであるが、少なくとも乳房の下方から半分以上を覆うサイズのカップであればよく、フルカップであってもよい。
【手続補正１３】
【補正対象書類名】明細書
【補正対象項目名】００２７
【補正方法】変更
【補正の内容】
【００２７】
図４に示すように、本発明に係るサイズ融通性のあるカップ部を有するブラジャー（１０）は、肌側から、カップ体（８）と伸縮性部材（７）、ワイヤー部（６）、台布部分（４）があり、その外側を、伸縮性カップ体表面部材（１）が覆う構造となっている。
【手続補正１４】
【補正対象書類名】明細書
【補正対象項目名】００２９
【補正方法】変更
【補正の内容】
【００２９】
カップ体（８）とワイヤー部（６）との間に、伸縮性部材（７）を設けたことにより、乳房のボリュームに合わせて伸縮性部材（７）が伸縮することが可能となる。また、上端部（１２）が肩紐部分（２）に縫合され連接された、伸縮性素材からなる伸縮性カップ体表面部材（１）が、ワイヤー部（６）から乳房を伸縮しながら持ち上げ、カップ体（８）と伸縮性部材（７）をより乳房にフィットするように調整することが可能となる。さらに、肩紐部分（２）に調節部（９）が備えられている場合、調節部（９）を調節することによって、伸縮性カップ体表面部材（１）と、その内面にあるカップ体（８）および伸縮性部材（７）をより乳房にフィットするように調整することが可能となる。これらの調整は、左右の乳房各々において行うことができる。以上のような調整によって、１つのカップサイズで、より幅広いサイズの乳房に対応することが可能となる。
【手続補正１５】
【補正対象書類名】明細書
【補正対象項目名】００３０
【補正方法】変更
【補正の内容】
【００３０】
伸縮性カップ体表面部材（１）は、伸縮性部材（７）とカップ体（８）を外面から覆い上へ持ち上げるため、伸縮性部材（７）が必要以上に伸びることを防止することが可能となる。伸縮性カップ体表面部材（１）は、伸縮性部材（７）の伸縮した部分や伸縮性部材（７）とカップ体（８）の連接された部分を外面から覆うので、着用時の外観は、通常のブラジャーとほとんど変わらないものとなる。その結果、薄手のアウターを着用する場合においても、通常のブラジャーと同じく、ブラジャーの連接された部分などがアウターを通じて分かることがなく、アウターに響き難いブラジャーを提供することが可能となる。また、伸縮性部材（７）および伸縮性カップ体表面部材（１）は、伸縮性素材からなるので、通気性が良い。さらに、伸縮性カップ体表面部材（１）は、カップ体（８）の上縁部（８３）と縫着されず遊離しており、かつカップ体（８）を全体的に上に持ち上げる構成となっているので、カップ体（８）によって上に持ち上げた乳房がカップ体（８）の上縁部（８３）から溢れてできることがある胸の段差をなだらかにして無くすことが可能となる。
【手続補正１６】
【補正対象書類名】明細書
【補正対象項目名】００３２
【補正方法】変更
【補正の内容】
【００３２】
大きめのバストサイズの人が本発明に係るブラジャー（１０）を着用すると、伸縮性部材（７）が伸張し、着用者のバストの大きさに合わせてカップ体（８）も上方に上がり、カップの高さ（ボリューム）が変化する。本願発明に係るブラジャー（１０）は、カップ体（８）の下縁部（８２）に伸縮性部材（７）をつけ、それらの表面を伸縮性カップ体表面部材（１）が覆う構造となっているので、伸縮性部材（７）の伸びに合わせて伸縮性カップ体表面部材（１）も追従してスムーズに伸張することが可能となる。
【手続補正１７】
【補正対象書類名】明細書
【補正対象項目名】００３４
【補正方法】変更
【補正の内容】
【００３４】
土台部分（４）は、通常のブラジャーのように１枚の伸縮しない素材又は伸縮性素材から形成されていてもよいが、好ましくはストレッチ素材からなる。図１〜３に示すように、土台部分（４）は、その先端が右のカップ部から左のカップ部のワイヤー部（６）の胸中央側の下縁部に延出する右の土台部分（４ａ）と、その先端が左のカップ部から右のカップ部のワイヤー部（６）の胸中央側の下縁部に延出する左の土台部分（４ｂ）からなり、右の土台部分（４ａ）と左の土台部分（４ｂ）は、胸中央部でクロス（交差）している（図２参照）。右の土台部分（４ａ）先端の上端と左の土台部分（４ｂ）先端の上端を結ぶ辺（４ａ１、４ｂ１）は、左右のカップ間にあり、この辺（４ａ１、４ｂ１）のみが互いに縫着されている。右の土台部分（４ａ）と左の土台部分（４ｂ）の下端（４ａ２、４ｂ２）は互いに遊離している。
図２においては、右の土台部分（４ａ）が左の土台部分（４ｂ）より外面に配置されているが、左の土台部分（４ｂ）が右の土台部分（４ａ）より外面に配置されてもよい。
【手続補正１８】
【補正対象書類名】明細書
【補正対象項目名】００３８
【補正方法】変更
【補正の内容】
【００３８】
（実施の形態２）
図５は、本発明の別の実施形態に係るサイズ融通性のあるカップ部を有するブラジャーの正面図であり、図６は、図５のサイズ融通性のあるカップ部を有するブラジャーの右のカップ部の部分を内面側から見て拡大した図である。図５において、外面から見た時見えないまたは見るのが困難な、内側にあるカップ体（８）および伸縮性部材（７）を破線で示している。
この実施形態においては、カップ体（８）は、伸縮性カップ体表面部材（１）と略同じ大きさであり、その脇側側縁部（８１）と上縁部（８３）は、伸縮性カップ体表面部材（１）と縫合されている。すなわち、カップ部は、全体が、伸縮性カップ体表面部材（１）と、カップ体（８）および伸縮性部材（７）の二重構造となっている。以下に特記しない部分は、実施の形態１と同様である。
【手続補正１９】
【補正対象書類名】明細書
【補正対象項目名】００３９
【補正方法】変更
【補正の内容】
【００３９】
カップ体（８）は伸縮性カップ体表面部材（１）と略同じ大きさであるため、カップの顔を小さく見せることができる。また、胸の開いた服などを着るときにブラジャーがはみ出て見えることがなく、幅広いアウターの下に着用することができる。
【手続補正２０】
【補正対象書類名】明細書
【補正対象項目名】００４８
【補正方法】変更
【補正の内容】
【００４８】
本発明に係るサイズ融通性のあるカップ部を有する衣類によれば、カップ体とワイヤー部との間に、伸縮性部材を設けたことにより、乳房のボリュームに合わせて伸縮性部材が伸縮し、カップの高さの調節が可能となる。また、上端部が肩紐部分に縫合され連接された、伸縮性素材からなる伸縮性カップ体表面部材が、ワイヤー部から乳房を伸縮しながら持ち上げ、カップ体と伸縮性部材をより乳房にフィットするように調整することが可能となる。これらの調整によって、１つのカップサイズで、より幅広いサイズの乳房に対応することが可能となる。
伸縮性カップ体表面部材は、伸縮性部材およびカップ体を外面から覆い、上へ持ち上げるため、伸縮性部材が必要以上に伸びることを防止することが可能となる。さらに、伸縮性カップ体表面部材は、伸縮性部材の伸縮した部分や伸縮性部材とカップ体の連接部を隠すので、本発明に係る衣類の外観は通常のブラジャーとほとんど変わらず、通気性も良い。さらに、伸縮性カップ体表面部材は、カップ体の上縁部と縫着されず遊離しており、かつカップ体を全体的に上に持ち上げる構成となっているので、カップ体によって上に持ち上げた乳房がカップ体の上縁部から溢れてできることがある胸の段差をなだらかにして無くすことが可能となる。
左右の土台部分は、胸中央部でクロスしており、右土台部分先端の上端と左土台部分先端の上端を結ぶ辺のみが互いに縫着されており、その下縁部は互いに遊離しているので、上記のようにカップ部が調節される際に、土台部分から乳房に合わせて調節することが可能となり、より融通性を与えることが可能となる。
又、土台部分がストレッチ素材からなるので、カップ部が調整される際に、カップ部を土台部分から乳房に合わせて調節することが容易となり、更なる融通性を与えることが可能となる。
以上のような調節が可能となる結果、１つのカップサイズで、より幅広いサイズの乳房に対応することが可能となるので、製造者や販売者の在庫を減らすことが可能となる。
【手続補正２１】
【補正対象書類名】明細書
【補正対象項目名】００４９
【補正方法】削除
【補正の内容】
【手続補正２２】
【補正対象書類名】明細書
【補正対象項目名】００５０
【補正方法】変更
【補正の内容】
【００５０】
本発明に係るサイズ融通性のあるカップ部を有する衣類によれば、カップ体と伸縮性カップ体表面部材が脇側側縁部で縫着されているので、カップ体をより安定させることが可能となる。
【手続補正２３】
【補正対象書類名】明細書
【補正対象項目名】００５２
【補正方法】変更
【補正の内容】
【００５２】
１・・・伸縮性カップ体表面部材
１１・・・下縁部
１２・・・上端部
２・・・肩紐部分
３・・・脇布
４・・・土台部分
４ａ・・・右の土台部分
４ｂ・・・左の土台部分
４ａ１、４ｂ１・・・辺
４ａ２、４ｂ２・・・下端
５・・・連結部
６・・・ワイヤー部
７・・・伸縮性部材
７１・・・下縁部
７２・・・上縁部
８・・・カップ体
８１・・・脇側側縁部
８２・・・下縁部
８３・・・上縁部
９・・・調節部
１０・・・サイズ融通性のあるカップ部を有する衣類
【手続補正書】
【提出日】平成25年4月11日(2013.4.11)
【手続補正１】
【補正対象書類名】特許請求の範囲
【補正対象項目名】全文
【補正方法】変更
【補正の内容】
【特許請求の範囲】
【請求項１】
カップ体と前記カップ体の下縁部に縫着された略U字状の伸縮性部材と前記カップ体および前記伸縮性部材を外面から覆う伸縮性カップ体表面部材とからなる左右のカップ部と、
前記カップ部の下縁部に装着されたワイヤー部と、
前記ワイヤー部下縁に沿い胸中央部に向かって先端が延出する左右の土台部分と、
前記伸縮性カップ体表面部材の上端部に連接された左右の肩紐部分と、
を有するワイヤー入りのサイズ融通性のあるカップ部を有する衣類であって、
前記伸縮性カップ体表面部材は伸縮性素材からなり下縁部がワイヤー部と縫着されており、
前記伸縮性部材は下縁部がワイヤー部と縫着されており、
前記右土台部分先端は左ワイヤー部に縫着され、前記左土台部分先端は右ワイヤー部に縫着されかつ前記右土台部分と前記左土台部分の上端は胸中央部の上辺で互いに縫着されており、前記右土台部分と前記左土台部分の下端は互いに遊離し、前記右土台部分と前記左土台部分の上端が左右のカップ部間にあり、
前記左右の土台部分はストレッチ素材からなることを特徴とするサイズ融通性のあるカップ部を有する衣類。
【請求項２】
前記カップ体の脇側側縁部が前記伸縮性カップ体表面部材と縫着されていることを特徴とする請求項１に記載のサイズ融通性のあるカップ部を有する衣類。
【請求項３】
前記サイズ融通性のあるカップ部を有する衣類が、ブラジャー、ロングブラ、スリーインワン、ビスチェ、ボディスーツ、ブラスリップ、ブラキャミソール、カップ付インナー、またはボディシェイパーであることを特徴とする請求項１又は２に記載のサイズ融通性のあるカップ部を有する衣類。
【手続補正２】
【補正対象書類名】明細書
【補正対象項目名】００１０
【補正方法】変更
【補正の内容】
【００１０】
本発明の請求項１に係る発明は、カップ体と前記カップ体の下縁部に縫着された略U字状の伸縮性部材と前記カップ体および前記伸縮性部材を外面から覆う伸縮性カップ体表面部材とからなる左右のカップ部と、前記カップ部の下縁部に装着されたワイヤー部と、前記ワイヤー部下縁に沿い胸中央部に向かって先端が延出する左右の土台部分と、前記伸縮性カップ体表面部材の上端部に連接された左右の肩紐部分と、を有するワイヤー入りのサイズ融通性のあるカップ部を有する衣類であって、前記伸縮性カップ体表面部材は伸縮性素材からなり下縁部がワイヤー部と縫着されており、前記伸縮性部材は下縁部がワイヤー部と縫着されており、前記右土台部分先端は左ワイヤー部に縫着され、前記左土台部分先端は右ワイヤー部に縫着されかつ前記右土台部分と前記左土台部分の上端は胸中央部の上辺で互いに縫着されており、前記右土台部分と前記左土台部分の下端は互いに遊離し、前記右土台部分と前記左土台部分の上端が左右のカップ部間にあり、
前記左右の土台部分はストレッチ素材からなることを特徴とするサイズ融通性のあるカップ部を有する衣類に関する。
なお、請求項１のサイズ融通性のあるカップ部を有する衣類において、「外面」とは肌に接する側と反対側を意味する概念である。
【手続補正３】
【補正対象書類名】明細書
【補正対象項目名】００１４
【補正方法】変更
【補正の内容】
【００１４】
本発明の請求項１に係る衣類によれば、カップ体とワイヤー部との間に、伸縮性部材を設けたことにより、乳房のボリュームに合わせて伸縮性部材が伸縮し、カップ体の高さの調節が可能となる。また、上端部が肩紐部分に縫合されて連接された、伸縮性素材からなる伸縮性カップ体表面部材が、ワイヤー部から乳房を伸縮しながら持ち上げ、カップ体と伸縮性部材をより乳房にフィットするように調整することが可能となる。これらの調整によって、１つのカップサイズで、より幅広いサイズの乳房に対応することが可能となる。
伸縮性カップ体表面部材は、伸縮性部材およびカップ体を外面から覆い、上へ持ち上げるため、伸縮性部材が必要以上に伸びることを防止することが可能となる。また、伸縮性カップ体表面部材は、伸縮性部材の伸縮した部分や伸縮性部材とカップ体の連接部も隠すので、本発明に係る衣類の外観は通常のブラジャーとほとんど変わらず、通気性も良い。さらに、伸縮性カップ体表面部材は、カップ体の上縁部と縫着されず遊離しており、かつカップ体を全体的に上に持ち上げる構成となっているので、カップ体によって上に持ち上げた乳房がカップ体の上縁部から溢れてできることがある胸の段差をなだらかにして無くすことが可能となる。
左右の土台部分は、胸中央部でクロスしており、右土台部分と左土台部分の上端は胸中央部の上辺で互いに縫着されており、右土台部分と左土台部分の下端は互いに遊離しているので、上記のようにカップ部が調節される際に、土台部分から乳房に合わせて調節することが可能となり、より融通性を与えることが可能となる。
又、土台部分がストレッチ素材からなるので、カップ部が調整される際に、カップ部を土台部分から乳房に合わせて調節することが容易となり、更なる融通性を与えることが可能となる。
以上のような調節が可能となる結果、１つのカップサイズで、より幅広いサイズの乳房に対応することが可能となるので、カップ体をより安定させることが可能となる。
【手続補正４】
【補正対象書類名】明細書
【補正対象項目名】００３４
【補正方法】変更
【補正の内容】
【００３４】
土台部分（４）は、通常のブラジャーのように１枚の伸縮しない素材又は伸縮性素材から形成されていてもよいが、好ましくはストレッチ素材からなる。図１〜３に示すように、土台部分（４）は、その先端が右のカップ部から左のカップ部のワイヤー部（６）の胸中央側の下縁部に延出する右の土台部分（４ａ）と、その先端が左のカップ部から右のカップ部のワイヤー部（６）の胸中央側の下縁部に延出する左の土台部分（４ｂ）からなり、右の土台部分（４ａ）と左の土台部分（４ｂ）は、胸中央部でクロス（交差）している（図２参照）。右の土台部分（４ａ）と左の土台部分（４ｂ）の上端（４ａ１、４ｂ１）は、左右のカップ間にあり、胸中央部の上辺で互いに縫合されている。右の土台部分（４ａ）と左の土台部分（４ｂ）の下端（４ａ２、４ｂ２）は互いに遊離している。
図２においては、右の土台部分（４ａ）が左の土台部分（４ｂ）より外面に配置されているが、左の土台部分（４ｂ）が右の土台部分（４ａ）より外面に配置されてもよい。
【手続補正５】
【補正対象書類名】明細書
【補正対象項目名】００４８
【補正方法】変更
【補正の内容】
【００４８】
本発明に係るサイズ融通性のあるカップ部を有する衣類によれば、カップ体とワイヤー部との間に、伸縮性部材を設けたことにより、乳房のボリュームに合わせて伸縮性部材が伸縮し、カップの高さの調節が可能となる。また、上端部が肩紐部分に縫合され連接された、伸縮性素材からなる伸縮性カップ体表面部材が、ワイヤー部から乳房を伸縮しながら持ち上げ、カップ体と伸縮性部材をより乳房にフィットするように調整することが可能となる。これらの調整によって、１つのカップサイズで、より幅広いサイズの乳房に対応することが可能となる。
伸縮性カップ体表面部材は、伸縮性部材およびカップ体を外面から覆い、上へ持ち上げるため、伸縮性部材が必要以上に伸びることを防止することが可能となる。さらに、伸縮性カップ体表面部材は、伸縮性部材の伸縮した部分や伸縮性部材とカップ体の連接部を隠すので、本発明に係る衣類の外観は通常のブラジャーとほとんど変わらず、通気性も良い。さらに、伸縮性カップ体表面部材は、カップ体の上縁部と縫着されず遊離しており、かつカップ体を全体的に上に持ち上げる構成となっているので、カップ体によって上に持ち上げた乳房がカップ体の上縁部から溢れてできることがある胸の段差をなだらかにして無くすことが可能となる。
左右の土台部分は、胸中央部でクロスしており、右土台部分と左土台部分の上端が胸中央部の上辺で互いに縫着されており、右土台部分と左土台部分の下端は互いに遊離しているので、上記のようにカップ部が調節される際に、土台部分から乳房に合わせて調節することが可能となり、より融通性を与えることが可能となる。
又、土台部分がストレッチ素材からなるので、カップ部が調整される際に、カップ部を土台部分から乳房に合わせて調節することが容易となり、更なる融通性を与えることが可能となる。
以上のような調節が可能となる結果、１つのカップサイズで、より幅広いサイズの乳房に対応することが可能となるので、製造者や販売者の在庫を減らすことが可能となる。
【手続補正６】
【補正対象書類名】明細書
【補正対象項目名】００５２
【補正方法】変更
【補正の内容】
【００５２】
１・・・伸縮性カップ体表面部材
１１・・・下縁部
１２・・・上端部
２・・・肩紐部分
３・・・脇布
４・・・土台部分
４ａ・・・右の土台部分
４ｂ・・・左の土台部分
４ａ１、４ｂ１・・・上端
４ａ２、４ｂ２・・・下端
５・・・連結部
６・・・ワイヤー部
７・・・伸縮性部材
７１・・・下縁部
７２・・・上縁部
８・・・カップ体
８１・・・脇側側縁部
８２・・・下縁部
８３・・・上縁部
９・・・調節部
１０・・・サイズ融通性のあるカップ部を有する衣類